(57)【要約】  本開示は、収集空間（２９）に位置する眼（１）の距離を収集する方法及びデバイスに関する。デバイスは、収集空間の方に光を放出するように構成された少なくとも１つの光源（１１）と、収集空間（２９）から光を受信して像データを生成するように構成されたカメラ（１５）と、像データから少なくとも１つの距離を抽出するように構成された解析ユニット（１４）とを含む。カメラ（１５）は、カメラの光軸に対して異なる角度が付けられている少なくとも２つの光路（１７、１９）を介して収集空間から光を受信するように構成され、少なくとも１つの光路の光は、第１のミラー（２１）を介して受信される。カメラは、カメラが単一の眼の少なくとも２つの表現を受信することを可能にするために、第１及び第２の光路を介して収集空間の重複部分から光を受信する。この距離は、例えば、視線追跡又は自動屈折／調節のために使用され得る。【選択図】図３
2020513609.tif 000002
【特許請求の範囲】
【請求項１】
収集空間（２９）に位置する眼（１）の距離を収集するデバイスであって、前記収集空間（２９）の方に光を放出するように構成された少なくとも１つの光源（１１）と、前記収集空間（２９）から光を受信して像データを生成するように構成されたカメラ（１５）と、前記像データから少なくとも１つの距離を抽出するように構成された解析ユニット（１４）とを含むデバイスにおいて、前記カメラ（１５）は、前記カメラの光軸に対して異なる角度が付けられている少なくとも第１の光路（１７）及び第２の光路（１９）を介して前記収集空間から光を受信するように構成され、前記第１の光路（１７）の前記光は、前記カメラが単一の眼の少なくとも２つの表現を受信することを可能にするために、前記カメラが前記第１及び第２の光路（１７、１９）を介して前記収集空間の重複部分から光を受信するように第１のミラー（２１）を介して受信されることによって特徴付けられることを特徴とするデバイス。
【請求項２】
請求項１に記載のデバイスにおいて、前記第２の光路（１９）の前記光は、第２のミラー（２３）を介して受信されることを特徴とするデバイス。
【請求項３】
請求項２に記載のデバイスにおいて、前記第１及び第２の光路（１７、１９）は、前記眼と前記カメラとの間の最短光路の１％を超える長さ差を有することを特徴とするデバイス。
【請求項４】
請求項１乃至３の何れか１項に記載のデバイスにおいて、前記カメラは、複数のミラーであって、別のミラーの領域と重複する前記収集空間の領域を描写する、前記収集空間と前記カメラとの間の個別の光路をそれぞれ提供する複数のミラーから光を受信するように構成されることを特徴とするデバイス。
【請求項５】
請求項４に記載のデバイスにおいて、前記複数のミラーは、前記収集空間に面する凹面（３９）に配設されることを特徴とするデバイス。
【請求項６】
請求項１乃至５の何れか１項に記載のデバイスにおいて、各ミラーの法線とカメラの光軸との間の角度は、１５°未満であることを特徴とするデバイス。
【請求項７】
請求項１乃至６の何れか１項に記載のデバイスにおいて、前記解析ユニット（１１）は、瞳孔距離に対する輝きを判定して、ユーザの眼の注視角を判定するように構成されることを特徴とするデバイス。
【請求項８】
請求項１乃至７の何れか１項に記載のデバイスにおいて、前記解析ユニット（１１）は、単一の眼の少なくとも２つの表現に基づいて解析を実行することにより、ユーザの眼の注視角を判定するように構成されることを特徴とするデバイス。
【請求項９】
請求項１乃至８の何れか１項に記載のデバイスにおいて、前記解析ユニット（１１）は、ユーザの網膜の像を記録して、眼の屈折誤差を判定するように構成されることを特徴とするデバイス。
【請求項１０】
請求項１乃至９の何れか１項に記載のデバイスにおいて、前記解析ユニット（１１）は、虹彩角度特徴を判定して、ユーザの眼の光学ねじれを判定するように構成されることを特徴とするデバイス。
【請求項１１】
請求項１乃至１０の何れか１項に記載のデバイスにおいて、少なくとも１つの二色性フィルターミラー（２５）は、前記収集空間と前記第１のミラーとの間に位置することを特徴とするデバイス。
【請求項１２】
請求項１１に記載のデバイスにおいて、第１及び第２の二色性フィルターミラーは、前記カメラと、それぞれ第１及び第２のユーザの眼のために構成された前記収集空間の第１及び第２の部分との間の光路に位置することを特徴とするデバイス。
【請求項１３】
請求項１乃至１２の何れか１項に記載のデバイスにおいて、前記少なくとも１つの光源（１１）は、赤外光を生成することを特徴とするデバイス。
【請求項１４】
収集空間に位置する眼の距離を収集する方法であって、少なくとも１つの光源は、前記収集空間の方に光を放出し、カメラは、前記収集空間から光を受信して像データを生成し、及び前記像データは、前記像データから少なくとも１つの距離を抽出するために解析される、方法において、前記カメラは、前記カメラの光軸に対して異なる角度が付けられている少なくとも第１及び第２の光路を介して前記収集空間から光を受信し、前記第１の光路の前記光は、前記カメラが単一の眼の少なくとも２つの表現を受信することを可能にするために、前記カメラが前記第１及び第２の光路を介して前記収集空間の重複部分から光を受信するように第１のミラーを介して受信されることによって特徴付けられることを特徴とする方法。
【請求項１５】
請求項１４に記載の方法において、ユーザの眼の注視角は、単一の眼の少なくとも２つの表現に基づいて解析を実行することによって判定されることを特徴とする方法。
【発明の詳細な説明】
【技術分野】
【０００１】
本開示は、収集空間に位置する眼の眼距離を収集するデバイスに関する。デバイスは、収集空間の方に光を放出するように構成された少なくとも１つの光源と、収集空間から光を受信して像データを生成するように構成されたカメラと、像データから少なくとも１つの距離を抽出するように構成された解析ユニットとを含む。
【０００２】
本開示は、対応する方法にも関する。
【背景技術】
【０００３】
このようなデバイスは、例えば、欧州特許出願公開第２６９６２５９Ａ１号明細書に開示されており、入力デバイスとして使用され得、ユーザは、例えば、ユーザの眼を用いてコンピュータを制御するか、又は人が異なる刺激に反応する方法を試験する行動学的研究などを実行することができる。
【０００４】
このようなシステムに関する一般的な問題は、システムをより効率的且つ頑強にする方法、例えば様々な種類の光学的障害に対処する方法である。
【発明の概要】
【０００５】
従って、本開示の１つの目的は、頑強な距離収集可能な眼距離収集デバイスを提供することである。
【０００６】
この目的は、請求項１に記載のデバイスによって達成される。より詳細には、最初に記載の種類のデバイスにおいて、カメラは、カメラの光軸に対して異なる角度で少なくとも第１及び第２の光路を介して収集空間から光を受信するように構成される。少なくとも第１の光路の光は、カメラが第１及び第２の光路を介して収集空間の重複部分から光を受信するように第１のミラーを介して受信される。従って、カメラは、単一の眼の少なくとも２つの表現を受信する。
【０００７】
これは、１つの単一の像において且つわずかに異なる方向から見られるように、眼の２つの表現を生成できることを意味する。第１の部分像の形態における一方の表現が例えば大きい注視角又はユーザの眼鏡のために歪んでいる場合でも、第２の部分像の形態における他方の表現は、眼距離収集に有用な情報を提供することができる。これにより、より頑強な距離収集が得られる。
【０００８】
典型的に、第２の光路の光は、第２のミラーを介して受信され得る。
【０００９】
更に、第１及び第２の光路は、最短長の１％を超える長さ差を有し得る。これは、確率がより大きくなり、生成された像の１つがカメラの焦点深度内にあることを意味する。従って、例えば、より大きいカメラ絞りを用いて、より小さい焦点深度が可能になり、より高速の像取り込みが可能になる。
【００１０】
カメラは、複数のミラーであって、収集空間と、別のミラーの領域と重複する収集空間の領域を描写するカメラとの間の個別光路をそれぞれ提供する複数のミラーから光を受信するように構成され得る。これにより、非常に頑強な取り込みが得られる。複数のミラーは、収集空間に面する凹面に配設され得る。ミラーの法線ベクトルとカメラの光軸との間の角度は、１５°未満であり得、ミラーは、比較的平坦な像をカメラに与えることができる。
【００１１】
解析ユニットは、瞳孔距離に対する輝きを判定して、ユーザの眼の光軸、即ち注視角を判定するように構成され得る。これにより、生成データを視線追跡のために使用することができる。
【００１２】
解析ユニットは、単一の眼の少なくとも２つの表現に基づいて解析を実行することにより、ユーザの眼の注視角を判定するようにも構成され得る。これにより、眼の角膜に輝きを生成しなくても注視角を判定することができる。
【００１３】
代わりに又はそれと組み合わせて、解析ユニットは、ユーザの網膜の像を記録して、眼の屈折誤差を判定するように構成され得るか、又は虹彩角度特徴を判定して、ユーザの眼の光学ねじれを判定するように構成され得る。
【００１４】
二色性フィルターミラーは、収集空間と第１のミラーとの間に位置し得る。これにより、システムは、例えば、赤外スペクトルで視線追跡を実行しながら、可視スペクトルで眼に対して刺激を表示することができる。複数のこのような二色性ミラーを使用し得、その結果、異なる内容を例えば左右の眼に表示することができ、例えば三次元効果を可能にする。
【００１５】
典型的に、光源は、赤外スペクトルにおける光を生成し得る。
【００１６】
対応する方法も考慮される。
【図面の簡単な説明】
【００１７】
【図１】図１は、側面から照らされた眼の取り込み像を例示する。
【図２】図２は、眼の光軸に近い位置から照らされた眼の取り込み像を例示する。
【図３】図３は、眼距離を収集する構成を概略的に例示する。
【図４】図４は、視線追跡に適した構成を概略的に例示する。
【図５】図５は、自動屈折用途に適した構成を概略的に例示する。
【図６】図６は、像収集構成の斜視図を示す。
【図７】図７は、図６の設定で生成された像の例を例示する。
【図８】図８は、より浅いカメラ焦点深度を可能にするミラーのずれを例示する。
【図９】図９は、図７の像の後処理を例示する。
【図１０】図１０は、自動屈折測定のためのミラー及び光源設定の正面図を例示する。
【図１１】図１１は、ウェアラブル眼距離収集構成の第１の例を例示する。
【図１２】図１２は、ウェアラブル眼距離収集構成の第２の例を例示する。
【発明を実施するための形態】
【００１８】
本開示は、一般的に、眼距離を収集するデバイス及び方法に関する。光源によって眼の方に光を放出し、眼の像を取り込んで像データを提供し、データを解析して像データから少なくとも１つの距離を抽出することにより、このような収集を達成し得る。このような眼距離収集が行われる例示的な用途は、視線追跡及び自動屈折である。
【００１９】
視線追跡により、注視ベクトル、即ち眼が見ている方向又は頭部に対する眼の運動の測定が意味される。視線追跡装置は、例えば、人が特定の刺激に反応する方法を判定する行動学的研究に使用され得るか又は入力デバイスとして使用され得、ユーザは、眼球運動を用いてコンピュータを制御することができる。眼球運動は、一連のサッカードとして行われる。サッカードにより、眼の２つの連続固視間の高速眼球運動が意味される。人間のサッカードは、２０ｍｓ〜１００ｍｓで続くことが多く、最高で毎秒８００°の速度に達することができる。多くの後続検出注視ベクトルは、眼球が運動する方法を記述する。
【００２０】
典型的に、光源は、眼の側面に配置され得る。図１に例示するように、眼１の得られる像では、角膜上に見える輝き３が生成される。眼の瞳孔５の輝き３及び中心の相対位置を測定することにより、眼の注視ベクトルの測度を得ることができる。
【００２１】
現在の眼距離収集デバイスを用いて、後述するように輝きを使用することなく注視角を検出することもできる。
【００２２】
下記では、ホットミラー及びコールドミラーという用語を使用する。コールドミラーにより、ミラーがより長い赤外波長（典型的に７００ｎｍよりも長い）を効率的に透過させる一方、可視光スペクトルを反射するような、二色性フィルターを含むミラーが意味される。ホットミラーは、逆に機能し、赤外光を反射する一方、可視スペクトルを透過させる。ホットミラー及びコールドミラーは、それ自体周知である。
【００２３】
既知の視線追跡構成は、例えば、遠隔又は移動視線追跡装置として考案され得る。遠隔追跡装置は、眼が存在する収集空間からある距離を置いて固定位置から眼の像を取り込む。一方、移動追跡装置をユーザの頭部に装着して、任意の頭部の動きを補償することができ、又は移動追跡装置を配置して、他の方法で動的にユーザの眼に追従することができる。ここで、ユーザにより、眼距離を収集する人が意味される。
【００２４】
視線追跡装置に顎当てを設けて、ユーザの頭部がごくわずかにのみ動くこと、従って眼を非常に小さい収集空間に制限することを保証し得る。これにより、固定化されているユーザを犠牲にして、５００Ｈｚを超えるより高速のカメラフレームレートを使用することができる。代わりに、カメラは、より大きい収集空間、例えば４０×３０×２５ｃｍのサイズの仮想ボックスを可能にし、ユーザがユーザの頭部を動かすことを可能にするように考案され得る。しかし、これは、高速で高解像度の像を読み出すことが難しいため、フレームレートを制限する。
【００２５】
眼鏡を付けたユーザは、１つ又は幾つかの追加の輝き又は反射、側面における眼鏡による角膜の輝き及び不要な反射を読み出すことがあるため、問題を生じることがある。解析ユニットは、何れの輝きが注視ベクトル検出のために使用されるべきかを判定することが難しいことがある。眼鏡が大きい注視角で強い（例えば、−６ジオプター）場合、この問題は、特に顕著であり得る。追加の瞳孔を各々の眼に対して検出することが更に可能であり、瞳孔は、眼鏡を介して見られ、同じ瞳孔は、眼鏡の次に直接再度見られ、従って解析が更に複雑になる。本開示は、上述の課題の１つ又は複数の課題を少なくとも部分的に低減しようとするものである。
【００２６】
典型的に、視線追跡は、電磁スペクトルの赤外線部分の範囲内で実行され得る。これにより、像処理要件が減少し、限定されたスペクトルを処理しさえすればよく、スペクトルの可視部分を使用して例えばユーザに刺激を提供することができる。例えば、コールドミラーを用いて、赤外波長を使用してコールドミラーの後方で光軸の延長で眼球運動を検出しながら、ユーザの眼の光軸から垂直に像を反射することにより、可視像をユーザに示すことができる。このような場合、ユーザは、追跡構成を認識しない。
【００２７】
自動屈折により、ユーザの眼の屈折誤差を評価する構成が意味される。典型的に、ユーザの光軸の近くから見られるようにユーザの眼の像を取り込む。光源は、異なる角度で光軸からわずかに変位された位置から連続的に照らされる。これは、図２に示すように、眼の網膜の像のセット、いわゆる輝く瞳孔７の像をカメラが取り込み得ることを意味する。多くのこれらの像を比較することにより、球状及び／又は円柱状の屈折誤差の測度を得ることができる。それ自体既知の例において、カメラは、中心にカメラの光軸を有する円の周りに均等な間隔で配置された６個の光源がカメラの周りに位置している状態で、眼から約１メートル離れて位置し得る。他の実施形態において、カメラは、眼の一層近くに位置し得る。多くの反復自動屈折測定値は、調節距離を提供することができる。
【００２８】
図３は、本開示による眼距離を収集する構成を単純な形態で概略的に例示する。ビーム９において光を光源１１から眼１の方に放出する。この光源１１が眼１の光軸１３から離れて位置する場合、輝き３は、図１に前述したように見える。カメラ１５は、眼１の像を取り込む。カメラ１５は、第１の光路１７及び第２の光路１９を介して、眼が位置する収集空間２９から光を受信する。第１及び第２の光路１７、１９は、カメラの光軸及び眼の光軸１３に対して異なる角度が付けられている。これは、第１の光路を得るのに配置されたミラー２１によって達成される。従って、カメラ１５は、眼の少なくとも２つの表現を提供する眼の重複部分から光を受信する。
【００２９】
図３の角度設定は、当然のことながら、ミラーを介して相対的に歪んだ像を受信する一方、この角度設定は、完全に有用であり、歪みを像解析ソフトウェアによって補償し得、他の設定は、場合により一層有用であり得る。
【００３０】
図４は、視線追跡用途に有用な設定を概略的に例示する。この設定では、第２の光路１９の光は、第２のミラー２３を介して受信される。２つの光路１７、１９の同様の特性のため、得られる２つの表現は、比較的同様の特性を有する。この設定は、カメラ１５と眼１との間の直接の視線を必要としないため、カメラ及び眼の光軸は、同様の方向を有することができる。更に、平面鏡２１、２３の表面は、眼１に面することができ、即ち、ミラーの法線ベクトルは、眼１の光軸及び／又はカメラ１５の光軸に対して１５°未満の角度φを有することができる。図４において、これは、ミラー２３に対して示され、眼の光軸１３に対する角度である。これは、図３のミラー２１を介して得られる投影と比べて、眼の比較的平坦な投影が得られることを意味する。ミラー２１、２３は、ユーザがミラーの後方で商品を見ることができることを意味するホットミラーであり得る。従って、ミラーをユーザにごくわずか見えるようにすることができる。図３〜図５の図面は、配置が必ずしも正確でないような例示を目的とした概略図であることに留意すべきである。
【００３１】
図５は、光源１１がミラー２１、２３に近接して又はカメラ１５の近くに配置される代替形態を例示する。ミラーを介して又は直接、眼から見られるようなカメラと光源との間の角度が６°未満である場合、瞳孔は、網膜上の反射光のために輝く瞳孔になることがある（図２を参照されたい）。眼を既知の形状で既知の角度から取り込むため、眼の正確な位置及び瞳孔サイズが既知であり得る。網膜像間の差を使用して、眼１の屈折誤差、即ち自動屈折を判定することができる。代わりに、図５に示すように、カメラ１５と一緒に光源１１’を配置することが好ましいことがあり得る。
【００３２】
輝く瞳孔の像は、視線追跡の目的で使用され得る。
【００３３】
図５において、コールドミラー２５は、一方での眼１と、他方でのミラー２１、２３及び光源１１との間に位置する。このコールドミラーは、可視光を像取り込み構成の側から眼の視野に導入することができるように眼の光軸１３に対して約４５°の角度が付けられ得る。このコールドミラーは、機能のために赤外光を使用する限り、光源１１又はカメラ１５及びミラー２１、２３を用いた像の取り込みに影響を及ぼさない。同時に、コールドミラー２５を介して表示像、閃光などの可視スペクトル刺激２７を眼１に提供することができる。このようなコールドミラーは、図４の設定のためにも使用され得る。ユーザの両眼の方に可視光を投影する１つの単一のコールドミラーを使用することができる。代わりに、三次元内容をユーザに描写することができる、各眼のための個別のコールドミラーを使用することができる。
【００３４】
図６は、例えば、視線追跡のために使用可能な設定を斜視図で例示する。この場合、カメラ１５は、ユーザの眼１が位置する収集空間２９の上に位置し、カメラは、ユーザが面するのと同じ方向に面する。複数のミラー２１、２３（例示の場合、１８個のミラー）がミラー支持体３１の上に配置される。収集空間２９の重複部分を描写するようにミラーの面が向けられる。即ち、平面鏡の表面は、異なって向けられた法線ベクトルを有する。典型的に、ミラー２１、２３がカメラ１５及び収集空間２９間で同様の長さを有する光路を提供するように、ミラー２１、２３が球面の上に配置される。しかし、それらの長さは、図示するように変更され得る。異なる重複方式が可能である。例えば、第１及び第２のミラーを有するミラーの対は、第２及び第３のミラーを有するミラーの対と同様に収集空間の重複部分を描写し得る。同時に、第１及び第３のミラーは、重複部分を描写する必要がない。２つのミラーは、殆ど完全な重複描写を行うことができる。異なって向けられたミラー法線ベクトルのために、重複量は、ユーザの顔がどの程度ミラーから離れて収集空間に位置するかにも依存する。
【００３５】
図７は、図６に示すような設定で取り込まれた像３３を例示する。複数のミラーのために、収集空間の一部を表す多くの部分像３５、３７が像３３にある。上述のように大きい注視角、眼鏡などのために一部の部分像を使用することができない場合でも、他の部分像は、必要な情報を提供することができる。即ち、ユーザがユーザの頭部をわずかに移動若しくは回転させるか、横に若しくは上下に注視するか、又は例えば高いジオプター眼鏡を有する場合でも、例えば、図６に示すような形状設定は、殆どの場合に有用な内容を提供する。
【００３６】
追加的に、一部のミラーは、瞳孔に略一直線の眼を示す部分像を提供する可能性が最も高く、任意選択的な瞳孔サイズ検出を一層簡単に行う。虹彩角度特徴を検出することもできる。虹彩は、一意の検出可能なパターンを有し、これらのパターンを使用してユーザの眼の光学ねじれを判定することができる。即ち、眼が眼の光軸を中心に若干回転することを検出し得る。
【００３７】
更に、図７に示すような像データを用いて、図１のような角膜の輝きを使用しなくても注視角を判定することができる。図７に対応する像データを用いて、解析ユニットは、単一の眼の２つ以上の表現に基づいて解析を実行することができる。解析ユニットは、像データの一部を特定のミラーに関連付けることができる知識を有し得、そのミラー位置及びカメラ１５に対する傾きに関する知識を更に有し得る。例えば、瞼などの眼の残りに対する瞳孔又は虹彩の位置に基づく像解析アルゴリズムを使用して眼の注視角を判定することができる。例えば、自己学習ニューラルネットワークを用いてこの注視角を判定し得る。
【００３８】
図８は、ミラー支持体の例による断面図を概略的に例示する。例示のように、一般的に、ミラーは、球面湾曲部３９の上に設定され得る。しかし、ミラーは、ミラーの法線ベクトル４１の方向に特定の長さｌｏｆｆだけ収集空間の方に又は収集空間から離れてこの湾曲部から任意選択的にずらされ得る。ミラーを異なってずらすことにより、異なる光路がわずかに異なる長さを有するため、カメラの焦点深度が小さい場合でも、一部のミラーは、カメラの焦点深度内にある可能性がより高くなる。これにより、より高速の像描写を提供するより広いカメラ絞りを使用することができる。典型的に、光路差は、カメラの焦点深度の約１０％又はカメラと眼との間の最短光路長の約２％であるが、１％を超える差は、多くの場合にかなりの効果を提供する。
【００３９】
図９は、例えば、あまりに大きい注視角を有するか、ぼやけた重要な特徴を有するか、又は偽情報（例えば、かなりの角度で厚い眼鏡によって提供されるような二重瞳孔）を提供する多くの部分像が焦点ずれのために無視される場合の図７の像を示す。従って、眼距離を提供する像の後処理は、少ない部分像のみで実行可能であり、改良された処理速度も提供する。例示の場合、４つのミラーに対応する４つの部分像、右眼の２つ及び左眼の２つの部分像は、この目的のために保持される（図９で他の部分像をバツ印で消す）。これは、時間と共に、例えば直後に変化し得、例えば、ユーザがユーザの頭部を動かしているか又はユーザの注視角を変更する場合、２つの他のミラーに対応する２つの部分像を使用し得る。
【００４０】
図１０は、自動屈折測定のためのミラー及び光源設定の正面図を例示する。図１０において、３つのミラー２１、２３、４１は、カメラから見られるように観察される。光源１１は、眼から見られるような光源とカメラとの間の角度を最小化する（例えば、６°未満）ように位置する。その結果、カメラが取り込むような輝く瞳孔の像（図２を参照されたい）が各ミラー２１、２３、４１で生成される。この構成により、３つの輝く描写瞳孔、即ち網膜の特徴の差を使用して、眼の屈折誤差、球状誤差及び円柱状誤差の両方を判定することができる。これは、カメラによって取り込まれ、ミラーによって提供される部分像を含む１つの単一の像で達成可能である。例示のように、ミラーは、１２０°の角距離で光源１１から瞳孔軸に半径方向にずらされて眼から略同じ距離に位置し得る。より多くのミラー、例えば光軸の周りに６０°の角距離を有する６つのミラーを使用することもできる。
【００４１】
図５に例示のように、光源１１’は、カメラレンズの近くに又はカメラレンズの前に位置することもできる。図１０に戻ると、このような光源は、１つ又は複数のミラーの方に光の流れを提供し得る。複数の光源が設けられ得る。光源をカメラレンズの前に配置する場合、光源がミラーをふさぐか又はカメラに直接光を提供することを回避すべきである。
【００４２】
本開示の一般概念は、ウェアラブル構成に関することもできる。例えば、いわゆる仮想現実（ＶＲ）眼鏡に視線追跡機能を提供することができる。
【００４３】
単純な形態において、このようなＶＲ眼鏡は、各眼に対する幾つかの光学部品を有する頭部装着型画面によって達成可能である。例えば、大画面のスマートフォンをユーザの眼の前に位置決めすることができ、各眼に対する凸レンズを使用して、ユーザは、近い距離から画面を見ることができる。スマートフォンにおける位置センサーを使用して、ユーザの頭部の動きを検出することができ、例えば仮想現実効果を提供するために結果的な表示内容を変更することができる。本開示において、視線追跡は、例えば、このような効果を高めることができる。
【００４４】
図１１は、ウェアラブル眼距離収集構成の第１の例を概略的に例示する。この例は、図３のような同様の設定を各眼に提供する。各眼に対する１つのカメラ１５は、眼の１つの直接像及び別の方向から眼を見たミラー２１を介した眼の１つの像を取り込む。これを使用して、上述のように視線追跡情報を提供することができる。
【００４５】
図１２は、ウェアラブル眼距離収集構成の第２の例を例示する。この例において、単一のカメラ１５は、ユーザの両眼の各々に２つの像を提供する。分割ミラー４１は、カメラの視野を２つの半分に分割し、半分の各々は、第１のミラー２１及び第２のミラー２３を介して眼の異なる像を生成する。
【００４６】
図１１及び図１２で使用されるミラー２１、２３は、ホットミラーであり得、その結果、ホットミラーは、少ない程度にのみユーザの視力を妨げる。
【００４７】
本発明は、少数の実施形態を参照して主に説明されている。しかし、当業者が容易に分かるように、上記で開示された実施形態と異なる他の実施形態も、添付の特許請求の範囲によって規定されるような本発明の範囲内で同様に可能である。
【図１】
2020513609.tif 000003
【図２】
2020513609.tif 000004
【図３】
2020513609.tif 000005
【図４】
2020513609.tif 000006
【図５】
2020513609.tif 000007
【図６】
2020513609.tif 000008
【図７】
2020513609.tif 000009
【図８】
2020513609.tif 000010
【図９】
2020513609.tif 000011
【図１０】
2020513609.tif 000012
【図１１】
2020513609.tif 000013
【図１２】
2020513609.tif 000014
【国際調査報告】
2020513609.tif 000015
2020513609.tif 000016
2020513609.tif 000017
2020513609.tif 000018